(57)【要約】【課題】追加の加工と部品がなくても、検測装置を取り付けるまたは取り外すことができるゴルフクラブヘッドを提供する。【解決手段】挿入体３が螺入して収容されている収容孔２２が形成されているゴルフクラブヘッド２であって、挿入体３は、係合ユニット３１と、係合ユニット３１内に設置されている検測ユニット３２と、係合ユニット３１と検測ユニット３２との間の隙間に充填されている充填材３９と、を備え、検測ユニット３２は、第１の方向Ｘに向く第１の面３２１１と、第１の面３２１１の反対面である第２の面３２１２と、を有する第１の基板３２１と、第１の基板３２１の第１の面３２１１に設置されている一対の充電用電極３２２と、を備え、固定用充填材３９は、一対の充電用電極３２２を露出させながら、第１の基板３２１を挟むように、検測ユニット３２を係合ユニット３１内の所定の位置に固定するように充填されている。【選択図】図４
2018108325.tif 000002
【特許請求の範囲】
【請求項１】
内周面にメスネジ部を有する収容孔が形成され、且つ該収容孔内に外周面にオスネジ部を有する挿入体が螺入して収容されているゴルフクラブヘッドであって、
前記挿入体は、係合ユニットと、前記係合ユニット内に設置されている検測ユニットと、前記係合ユニットと前記検測ユニットとの間の隙間に充填されている固定用充填材と、を備え、
前記係合ユニットは、全体が筒形であって、
前記係合ユニットが前記収容孔内に挿し込まれると、外部に露出する底壁と、
前記底壁の周縁から、前記底壁と略直交する第１の方向へ延伸して該第１の方向における先端に開口ができるよう柱状の設置空間を形成し、且つ外周面に前記オスネジ部が形成された周壁と、を備え、
前記検測ユニットは、
ゴルフクラブのスイングデータを検測できる検測デバイスが設置され、且つ前記第１の方向に向く第１の面と前記設置空間に向かう第２の面とを有するように、前記設置空間内に収容されていて前記係合ユニットの前記開口をカバーしている第１の基板と、
前記第１の基板の前記第１の面に設置されている一対の充電用電極と、
前記第１の基板と前記底壁との間に配置されて、前記充電用電極と前記第１の基板とに電気的に接続されているコンデンサと、を備え、
前記固定用充填材は、前記一対の充電用電極を露出させながら前記第１の基板の前記第１の面と前記第２の面とのそれぞれの少なくとも一部を覆って、前記第１の基板を挟み、前記検測ユニットを前記係合ユニット内の所定の位置に固定するように充填されていることを特徴とするゴルフクラブヘッド。
【請求項２】
前記挿入体は、支持ユニットを更に有し、
前記支持ユニットは、前記検測ユニットを前記係合ユニット内に所定の位置に支持できるように構成されていることを特徴とする請求項１に記載のゴルフクラブヘッド。
【請求項３】
前記支持ユニットは、
前記検測ユニットの前記第１の基板と略平行となるように前記検測ユニットの前記コンデンサが通過できる通過孔が開けられている環状板と、
前記検測ユニットを支持する際、前記第１の基板を収容できる第１の収容空間を前記環状板と共に形成するように、前記環状板の周縁から、前記第１の方向へ延伸してなる複数の第１の延伸部と、
前記検測ユニットを支持する際、前記コンデンサを収容できる第２の収容空間を前記環状板と共に形成するように、前記環状板の周縁から、前記第１の方向の反対方向へ延伸してなる複数の第２の延伸部と、により構成されていることを特徴とする請求項２に記載のゴルフクラブヘッド。
【請求項４】
前記検測ユニットは、前記第１の基板と前記コンデンサとの間に設置されていて、前記検測ユニットが前記支持ユニットに支持される際、前記第１の収容空間に収容される第２の基板を更に有することを特徴とする請求項３に記載のゴルフクラブヘッド。
【請求項５】
前記係合ユニットの底壁の外部に向かう表面には、所定の工具が挿入されて前記挿入体を回転駆動することができる回転駆動部が設置されている突起が形成されていることを特徴とする請求項１〜請求項４のいずれか一項に記載のゴルフクラブヘッド。
【発明の詳細な説明】
【技術分野】
【０００１】
本発明はゴルフクラブヘッドに関し、特にゴルフクラブのスイングデータを検測できるゴルフクラブヘッドに関する。
【背景技術】
【０００２】
ゴルフクラブのスイングは、ゴルフボールの飛距離、軌跡などに大きな影響を与えるので、スイングデータを検測して、その検測データに基づいてスイングの姿勢を修正することが重要視されている。ゴルフクラブのスイングデータを収集／取得するために、ヘッドにスイングデータを収集する検測装置が設置されたゴルフクラブが開発された。例えば図１に示される特許文献１には、検測装置１０３を収容できる収容溝１０２に収容されるゴルフクラブヘッド１０１が開示されている。該ゴルフクラブヘッド１０１は、検測装置１０３が収容孔１０２に設置されているので、スイングデータを検測することもできるという利点がある。
【０００３】
しかし、特許文献１のゴルフクラブヘッド１０１は、検測装置１０３が収容孔１０２から外れないようにするため、蓋１０４と、蓋１０４をゴルフクラブヘッド１０１に係合するネジ１０６と、を用いて検測装置１０３を収容孔１０２内に固定するので、ゴルフクラブヘッド１００に更に蓋１０４とネジ１０６とを設置する加工が必要である。従って、ゴルフクラブヘッドの製造の工程及びコストが増えるという欠点がある。また、検測装置１０３を取り付けるまたは取り外す際に、先ず蓋１０４を取り外さなければならないので、検測装置１０３を収容孔１０２に出し入れする手間が増えて、使用者にとって不便である。
【先行技術文献】
【特許文献】
【０００４】
【特許文献１】国際公開第２０１２／１４９３３８号
【発明の概要】
【発明が解決しようとする課題】
【０００５】
上記問題点に鑑みて、本発明は、追加の加工と部品がなくても、検測装置を簡単に出し入れすることができるゴルフクラブヘッドの提供を目的とする。
【課題を解決するための手段】
【０００６】
上記目的を達成すべく、本発明は、内周面にメスネジ部を有する収容孔が形成され、且つ該収容孔内に外周面にオスネジ部を有する挿入体が螺入して収容されているゴルフクラブヘッドであって、前記挿入体は、係合ユニットと、前記係合ユニット内に設置されている検測ユニットと、前記係合ユニットと前記検測ユニットとの間の隙間に充填されている固定用充填材と、を備え、前記係合ユニットは、全体が筒形であって、前記係合ユニットが前記収容孔内に挿し込まれると、外部に露出する底壁と、前記底壁の周縁から、前記底壁と略直交する第１の方向へ延伸して該第１の方向における先端に開口ができるよう柱状の設置空間を形成し、且つ外周面に前記オスネジ部が形成された周壁と、を備え、前記検測ユニットは、ゴルフクラブのスイングデータを検測できる検測デバイスが設置され、且つ前記第１の方向に向く第１の面と前記設置空間に向かう第２の面とを有するように、前記設置空間内に収容されていて前記係合ユニットの前記開口をカバーしている第１の基板と、前記第１の基板の前記第１の面に設置されている一対の充電用電極と、前記第１の基板と前記底壁との間に配置されて、前記充電用電極と前記第１の基板とに電気的に接続されているコンデンサと、を備え、前記固定用充填材は、前記一対の充電用電極を露出させながら前記第１の基板の前記第１の面と前記第２の面とのそれぞれの少なくとも一部を覆って、前記第１の基板を挟み、前記検測ユニットを前記係合ユニット内の所定の位置に固定するように充填されていることを特徴とするゴルフクラブヘッドを提供する。
【発明の効果】
【０００７】
上記の構成によれば、本発明のゴルフクラブヘッドは、固定用充填材で係合ユニットと検測ユニットとが互いに固定されて、１つのモジュールになるので、挿入体を収容孔内に螺挿することだけで設置できる。従って、該ゴルフクラブヘッドに対して余分な機構を設置するための加工が要らず、更に、該挿入体を回転することにより、該挿入体を該収容孔に簡単に出し入れすることができるので、従来より便利な検測機能付きゴルフクラブヘッドを提供することができる。
【図面の簡単な説明】
【０００８】
【図１】従来のゴルフクラブヘッドを示す斜視図である。
【図２】本発明のゴルフクラブヘッドの一実施形態を示す部品分解斜視図である。
【図３】上記実施形態における挿入体を示す部品分解斜視図である。
【図４】上記実施形態における挿入体を示す断面図である。
【発明を実施するための形態】
【０００９】
以下、各図面を参照しながら、本発明の実施形態について詳しく説明する。
【００１０】
図２は本発明のゴルフクラブヘッドの一実施形態を示す部品分解斜視図である。図３は上記実施形態における挿入体を示す部品分解斜視図である。図４は上記実施形態における挿入体を示す断面図である。
【００１１】
本発明のゴルフクラブヘッド２は、図２及び図３に示されるように、シャフト９に接続されているヘッド本体２１を有し、ヘッド本体２１に、内周面にメスネジ部２３を有する収容孔２２が形成されている上、収容孔２２内に外周面にオスネジ部３１４を有する挿入体３が螺入して収容されている。この実施形態において、収容孔２２はゴルフクラブヘッド２のシャフト９と接続されている側の反対側に形成されているが、他の場所に形成されることもできる。
【００１２】
挿入体３は、図３及び図４に示されるように、係合ユニット３１と、係合ユニット３１内に設置されている検測ユニット３２と、検測ユニット３２を係合ユニット３１内に所定の位置に支持できるように構成されている支持ユニット３３と、係合ユニット３１と検測ユニット３２との間の隙間に充填されている充填材３９と、を備える。
【００１３】
係合ユニット３１は、図３に示されるように、全体が筒形であって、係合ユニット３１が図２の収容孔２２内に挿し込まれると、外部に露出する底壁３１１と、底壁３１１の周縁から、底壁３１１と略直交する第１の方向Ｘへ延伸して第１の方向Ｘにおける先端に開口３００ができるよう柱状の設置空間３１０を形成し、且つ外周面にオスネジ部３１４が形成された周壁３１２と、からなる。
【００１４】
この実施形態において、図３及び図４に示されるように、係合ユニット３１の開口３００を囲む周縁には、２つの凹部３１５が形成されていて、且つ、係合ユニット３１の底壁３１１の外部に向かう表面には、所定の工具を挿入して挿入体３を回転駆動することができる回転駆動部３１３が設置されている突起３１９が形成されている。回転駆動部３１３は、突起３１９の表面から凹陥して形成された。
【００１５】
所定の工具を回転駆動部３１３に挿入して挿入体３を回転駆動することにより、挿入体３を簡単にゴルフクラブヘッド２の収容孔２２に出し入れすることができる。
【００１６】
検測ユニット３２は、図４に示されるように、ゴルフクラブのスイングデータを検測できる検測デバイス（図示せず）が設置されている上、第１の方向Ｘに向く第１の面３２１１と設置空間３１０に向かう第２の面３２１２とを有するように、設置空間３１０内に収容されていて係合ユニット３１の開口３００をカバーしている第１の基板３２１と、第１の基板３２１の第１の面３２１１に設置されている一対の充電用電極３２２と、ゴルフクラブのスイングデータを検測できる検測デバイスが設置されている上、第１の基板３２１と底壁３１１との間に配置されている第２の基板３２３と、第２の基板３２３と底壁３１１との間に配置されて、一対の充電用電極３２２と第１の基板３２１と第２の基板３２３とに電気的に接続されているコンデンサ３２４と、を備える。
【００１７】
支持ユニット３３は、図３に示されるように、係合ユニット３１の設置空間３１０に設置されると、係合ユニット３１の周壁３１２の内表面に当接して、検測ユニット３２を係合ユニット３１内の所定の位置に支持できるように構成されているものであって、検測ユニット３２の第１の基板３２１と略平行となるように検測ユニット３２のコンデンサ３２４が通過できる通過孔３０９が開けられている環状板３３０と、検測ユニット３２を支持する際、第１の基板３２１及び第２の基板３２３を収容できる第１の収容空間３０１を環状板３３０と共に形成するように、環状板３３０の周縁から、第１の方向Ｘへ延伸してなる複数の第１の延伸部３３１と、検測ユニット３２を支持する際、コンデンサ３２４を収容できる第２の収容空間３０２を環状板３３０と共に形成するように、環状板３３０の周縁から、第１の方向Ｘの反対方向へ延伸してなる複数の第２の延伸部３３２と、により構成されている。
【００１８】
この実施形態において、支持ユニット３３は、図３に示されるように、４つの第１の延伸部３３１と、３つの第２の延伸部３３２と、を有する。４つの第１の延伸部３３１において、１つの第１の延伸部３３１は、その外表面から突起して、係合ユニット３１内に設置される際に、係合ユニット３１の凹部３１５に嵌入できる嵌入突起３３３が形成されており、２つの第１の延伸部３３１は、内表面から突起する設置突起３３４が形成されている。環状板３３０は、係合ユニット３１内に設置される際に、外周縁の一部が係合ユニット３１の内表面に当接せずに凹陥され、且つ他の部分が係合ユニット３１の内表面に当接するように形成されている。
【００１９】
支持ユニット３３は、係合ユニット３１内に設置される際に、図４に示されるように、第１の延伸部３３１の嵌入突起３３３が係合ユニット３１の凹部３１５に嵌入し、且つ、環状板３３０の外周縁の一部が係合ユニット３１の内表面に当接するので、係合ユニット３１に対する相対位置が離れにくくなる。
【００２０】
また、この実施形態において、第２の基板３２３は、図３に示されるように、検測ユニット３２が支持ユニット３３に支持される際に、２つの第１の延伸部３３１の設置突起３３４のそれぞれに嵌入される２つの設置凹部３２５が形成されている。従って、検測ユニット３２が支持ユニット３３に支持される際に、第１の延伸部３３１の設置突起３３４が第２の基板３２３の設置凹部３２５に嵌入されて、検測ユニット３２が環状板３３０と平行する面において移動できなくなる。
【００２１】
固定用充填材３９は、図４に示されるように、一対の充電用電極３２２を露出させながら少なくとも第１の基板３２１の第１の面３２１１と第２の面３２１２とのそれぞれの少なくとも一部を覆って、第１の基板３２１を挟み、検測ユニット３２を係合ユニット３１内の所定の位置に固定するように検測ユニット３２と係合ユニット３１との間に充填されている。
【００２２】
この実施形態において、図４に示されるように、検測ユニット３２は支持ユニット３３により、係合ユニット３１と一定の隙間を空けると共に、係合ユニット３１の設置空間３１０の略中央位置に設置されている。そして、固定用充填材３９は、該一定の隙間に充填できる流動性があって、乾燥後固化する材料であり、固定用充填材３９が、該一定の隙間に充填されていることにより、係合ユニット３１と検測ユニット３２と支持ユニット３３とが一体的に固定されている。
【００２３】
上記の構成によれば、係合ユニット３１と検測ユニット３２と支持ユニット３３とが一体的に固定されて、１つのモジュールになるので、挿入体３を収容孔２内に螺挿することだけで設置できる。従って、ゴルフクラブヘッド２に対して余分な機構を設置するための加工が要らず、更に、挿入体３を回転することにより、挿入体３を収容孔２２に簡単に出し入れすることができるので、従来より便利な検測機能付きゴルフクラブヘッドを提供することができる。
【００２４】
また、検測ユニット３２は、支持ユニット３３により支持されているので、より簡単に固定用充填材３９を検測ユニット３２と係合ユニット３１との間に充填して硬く固定することができる。
【００２５】
固定用充填材３９は一対の充電用電極３２２を露出させて充填され、且つ、挿入体３を収容孔２２から外すと、充電用電極３２２は外側に向かうので、充電用電極３２２を充電器に電気的に接続することにより検測ユニット３２を充電することができる。
【００２６】
更に、検測ユニット３２は、速度４６ｍ/ｓのゴルフボールで本発明のゴルフクラブヘッド２を撃つ試験を３０００回以上受けても、正常に稼動することができるので、固定用充填材３９が検測ユニット３２と係合ユニット３１との間に充填されていることにより、ゴルフクラブヘッドでボールを打つ時に生じる衝撃を吸収して、検測ユニット３２を保護する効果がある。
【００２７】
なお、挿入体３自身の重量によりゴルフクラブヘッド２の重心を調整できる。その重量は、挿入体３の構成材料を変えることにより調整でき、更に挿入体３内に重量体を設置することもできる。第１の基板３２１と第２の基板３２３とに設置されている検測デバイスを変えて、検測できるスイングデータを変更することもできる。
【産業上の利用可能性】
【００２８】
本発明のゴルフクラブヘッドは、一般のゴルフ競技または練習に適用でき、中でも、スイングデータを検測するための練習には好適である。
【符号の説明】
【００２９】
２  ゴルフクラブヘッド
９  シャフト
２１  ヘッド本体
２２  収容孔
２３  メスネジ部
３  挿入体
３００  開口
３１  係合ユニット
３１０  設置空間
３１１  底壁
３１２  周壁
３１３  回転駆動部
３１４  オスネジ部
３１５  凹部
３１９  突起
３２  検測ユニット
３２１  第１の基板
３２１１  第１の面
３２１２  第２の面
３２２  充電用電極
３２３  第２の基板
３２４  コンデンサ
３２５  設置凹部
３３  支持ユニット
３３０  環状板
３３１  第１の延伸部
３３２  第２の延伸部
３３３  嵌入突起
３３４  設置突起
３０１  第１の収容空間
３０２  第２の収容空間
３０９  通過孔
Ｘ  第１の方向
【図１】
2018108325.tif 000003
【図２】
2018108325.tif 000004
【図３】
2018108325.tif 000005
【図４】
2018108325.tif 000006